(57)【特許請求の範囲】
【請求項１】
人工知能型記憶コンピュータ機能選択快速スタート方法は、コンピュータにおいて、ＣＰＵ、データ保存媒体、システムメモリー、基本出入力システム、キーボード制御器、少なくとも一つの機能選択ボタンを持ち、機能選択信号出力部位、及び少なくとも一つのマルチメディアプレイ装置により構成され、そのデータ保存媒体には、少なくとも一つのオペレーションシステム、少なくとも一つの装置駆動プログラム、少なくとも一つのマルチメディアアプリケーションプログラムを含み、
（ａ）ＣＰＵがＢＩＯＳプログラム及びＰＯＳＴプログラムの完了後、オペレーションシステムを実行し、
（ｂ）ＣＰＵがシステムメモリー内に、機能選択アプリケーションプログラムイメージファイル記憶区を作成し、
（ｃ）キーボード制御器が、ユーザーによる機能選択信号出力部位の任意の機能選択ボタンのスタート操作を監視し、
（ｄ）キーボード制御器が前記スタート操作を検出した後、ＣＰＵは機能選択ボタンに対応するマルチメディアアプリケーションプログラムをシステムメモリー中の機能選択アプリケーションプログラムイメージファイル記憶区内に読み込み、並びにこれを実行し、
（ｅ）キーボード制御器が、ユーザーによる機能選択信号出力部位の任意の機能選択ボタンがオフ操作を監視し、
（ｆ）キーボード制御器が前記オフ操作を検出した後、ＣＰＵは前記マルチメディアアプリケーションプログラムを停止し、
（ｇ）ＣＰＵが、マルチメディアアプリケーションプログラムをアプリケーションプログラムイメージファイルの形態にてデータ保存媒体内の選択メモリー領域に戻し保存、そのデータ保存媒体には、少なくとも一つのアプリケーションプログラムイメージファイルと、作成したアプリケーションプログラムイメージファイルのスタート位置と長さを記録したアプリケーションプログラムイメージファイル索引ファイルと、各アプリケーションプログラムの実行時に設定した数値を記録した少なくとも一つの設定数値関連ファイルを保存し、
（ｈ）キーボード制御器が、ユーザーによる前記機能選択ボタンのスタート操作を検出した後、ＣＰＵは該機能選択ボタンに対応するアプリケーションプログラムイメージファイルをシステムメモリー内の機能選択アプリケーションプログラムイメージファイル記憶区に読み込み、実行することを特徴とする、人工知能型記憶コンピュータ機能選択快速スタート方法。
【発明の詳細な説明】
【技術分野】
【０００１】
本発明は、コンピュータ機能選択のスタート方法に関するものであり、特に、人工知能型記憶コンピュータ機能選択快速スタート方法に関するものである。
【背景技術】
【０００２】
コンピュータ技術が不断なく研究開発される中、現在コンピュータをマルチメディアプレイ装置に組み合わせ、マルチメディア映像音声プレイシステムとして、オフィス、家庭、商業の場など非常に多くの場所で広く応用されている。また、コンピュータとＩＴ家電機能を組み合わせた、コンピュータ化家電機能は、従来商品の中にも見られるものである。
【０００３】
しかしながら、現在見られるマルチメディア映像音声プレイシステムもしくはコンピュータ化ＩＴ家電機能の多くの設計は、単純に映像音声プレイシステム装置もしくは家電設備をコンピュータインターフェイスによってコンピュータシステムに接続したものであるので、ユーザーがマルチメディア映像音声プレイ機能もしくは家電設備の機能を実行しようとした場合、まずは最初にコンピュータシステムを起動、並びにコンピュータシステムが基本出入力システムプログラム、システムセルフテスト、周辺機器検出及び駆動、オペレーションシステム起動、システム組織状態設定等のすべてのプログラムが完了した後、やっとマルチメディア映像音声プレイ機能を実行することができる。
【０００４】
パソコン起動時間を加速する為、一般には元のハードディスクのオペレーションシステムの他、別に第二オペレーションシステムをそのハードディスクの一部分の分割区内にインストールしてマルチメディア映像音声プレイもしくはＩＴ家電機能を立ち上げている。
【発明の開示】
【発明が解決しようとする課題】
【０００５】
しかしながら、前述のやり方を採用する場合、ユーザーはコンピュータの機能を正常起動させることができたとしても、マルチメディア映像音声プレイもしくはＩＴ家電機能を選択、コンピュータシステムはオペレーションシステム起動時にコンピュータシステムはハードディスク内のオペレーションシステム駆動プログラム、アプリケーションプログラム及びデータを読み込まなければならず、コンピュータシステム全体の速度及び効果はハードディスクのデータ読込速度に極度に制限されている。
【０００６】
パソコンシステムと家電システムは、ハード設計上の違いから、パソコンシステム起動は、非常に素早い家電システムにはとても敵わない。よって、ユーザーがマルチメディア映像音声プレイ機能を実行する場合、ユーザーはまずコンピュータシステムを先に起動、並びにコンピュータシステムが基本出入力システムプログラム、システムセルフテスト、周辺機器検出及び駆動、オペレーションシステム起動、システム組織状態設定等のすべてのプログラムが完了した後、やっとマルチメディア映像音声プレイ機能を実行することができる。ユーザーにとっては起動を待ち、コンピュータセッティングの過程は非常に繁雑且つ気が長いものである。
【０００７】
またユーザーがマルチメディア映像音声プレイ機能選択ボタンをスタート操作した場合、コンピュータシステムはハードディスク内のマルチメディアアプリケーションプログラムを読み込んでから実行する。ユーザーがマルチメディア映像音声プレイの機能を閉じてしまった後、再起動する場合は、コンピュータシステムは再びハードディスク内のマルチメディアアプリケーションシステムを読込み再実行しなければならず、実行におけるスピードは全く向上されておらずコンピュータシステム資源の占用においても同様である。
【０００８】
そこで、本発明の主な目的はスピードアップできるコンピュータシステム機能選択快速スタートの方法を提案するものであり、過去に実行した某機能選択を、再び実行操作する場合、実行スピードをアップ、システム資源占有を比較的少なくできる。
【０００９】
本発明のもう一つの目的は、人工知能型記憶コンピュータ機能選択快速スタート方法を提案することにあり、それはユーザーが以前に実行した某機能選択を記憶することができ、並びにアプリケーションプログラムイメージファイルの形態でデータ保存媒体内の選択メモリー位置に戻り保存する為、ユーザーが次回その機能選択を実行操作した場合、非常に素早くそのアプリケーションプログラムイメージファイルを読み込み実行することができる。
【課題を解決するための手段】
【００１０】
上記課題を解決するために、本発明が採用した技術手段とは、コンピュータがシステム起動プログラムを完了した後、機能選択ボタンがスタート操作されたのを検出すると、機能選択ボタンに対応するマルチメディアアプリケーションプログラムをシステムメモリー内の機能選択アプリケーションプログラムイメージファイル記憶区に読込み、これを実行する。また、機能選択ボタンがオフ操作された場合は、すぐにマルチメディアアプリケーションプログラムの実行停止をし、並びにマルチメディアアプリケーションプログラムをアプリケーションイメージファイルの形態にてデータ保存媒体内の選択メモリー位置に戻して保存する為、コンピュータが後日、ユーザーによって再度機能選択ボタンのスタート操作がなされ、それを検出すると、機能選択ボタンに対応するアプリケーションプログラムイメージファイルがシステムメモリー内の機能選択アプリケーションプログラムイメージファイル記憶区に読み込まれ、これを実行する。
【００１１】
実施例において、データ保存媒体内にいくつかのアプリケーションプログラムイメージファイルの保存の他、そのデータ保存媒体内にアプリケーションプログラムイメージファイル索引ファイルを作成、作成されたアプリケーションプログラムイメージファイルのスタート位置と長さはそれに記憶される。また、データ保存媒体内には少なくとも一つの設定数値関連ファイルが作成、各設定数値関連ファイルはそれぞれアプリケーションプログラムイメージファイルに対応している為、ユーザーが実行したアプリケーションプログラム上の設定数値は、設定数値関連ファイル内に保存される。
【００１２】
請求項１の発明は、人工知能型記憶コンピュータ機能選択快速スタート方法は、コンピュータにおいて、ＣＰＵ、データ保存媒体、システムメモリー、基本出入力システム、キーボード制御器、少なくとも一つの機能選択ボタンを持ち、機能選択信号出力部位、及び少なくとも一つのマルチメディアプレイ装置により構成され、そのデータ保存媒体には、少なくとも一つのオペレーションシステム、少なくとも一つの装置駆動プログラム、少なくとも一つのマルチメディアアプリケーションプログラムを含み、
（ａ）ＣＰＵがＢＩＯＳプログラム及びＰＯＳＴプログラムの完了後、オペレーションシステムを実行し、
（ｂ）ＣＰＵがシステムメモリー内に、機能選択アプリケーションプログラムイメージファイル記憶区を作成し、
（ｃ）キーボード制御器が、ユーザーによる機能選択信号出力部位の任意の機能選択ボタンのスタート操作を監視し、
（ｄ）キーボード制御器が前記スタート操作を検出した後、ＣＰＵは機能選択ボタンに対応するマルチメディアアプリケーションプログラムをシステムメモリー中の機能選択アプリケーションプログラムイメージファイル記憶区内に読み込み、並びにこれを実行し、
（ｅ）キーボード制御器が、ユーザーによる機能選択信号出力部位の任意の機能選択ボタンがオフ操作を監視し、
（ｆ）キーボード制御器が前記オフ操作を検出した後、ＣＰＵは前記マルチメディアアプリケーションプログラムを停止し、
（ｇ）ＣＰＵが、マルチメディアアプリケーションプログラムをアプリケーションプログラムイメージファイルの形態にてデータ保存媒体内の選択メモリー領域に戻し保存、そのデータ保存媒体には、少なくとも一つのアプリケーションプログラムイメージファイルと、作成したアプリケーションプログラムイメージファイルのスタート位置と長さを記録したアプリケーションプログラムイメージファイル索引ファイルと、各アプリケーションプログラムの実行時に設定した数値を記録した少なくとも一つの設定数値関連ファイルを保存し、
（ｈ）キーボード制御器が、ユーザーによる前記機能選択ボタンのスタート操作を検出した後、ＣＰＵは該機能選択ボタンに対応するアプリケーションプログラムイメージファイルをシステムメモリー内の機能選択アプリケーションプログラムイメージファイル記憶区に読み込み、実行することを特徴とする、人工知能型記憶コンピュータ機能選択快速スタート方法としている。
【発明の効果】
【００１３】
本発明の人工知能型記憶コンピュータ機能選択快速スタート方法は、コンピュータが起動プログラムを完了、並びにユーザーが某機能選択を選択及び実行した際、自動的にデータ保存媒体内に少なくとも一つのアプリケーションプログラムイメージファイルを作成する。また、後日、機能選択ボタンがユーザーによって再度スタート操作されたのを検出すると、機能選択ボタンに対応するアプリケーションプログラムイメージファイルをシステムメモリー内の機能選択アプリケーションプログラムイメージファイル記憶区に読み込み、並びにこれを実行するという特徴を持つ。それにより、アプリケーションプログラムの実行速度を加速、システム資源の比較的少ない占有に効果的である。
【発明を実施するための最良の形態】
【００１４】
図１に本発明、人工知能型記憶コンピュータ機能選択快速スタート方法実施例のシステム機能チャート図を示す。本発明のコンピュータ１００は、ＣＰＵ１１、第一導線（ｂｕｓ）接続器１２、第二導線（ｂｕｓ）接続器１３により構成されており、ＣＰＵ１１は、システム導線（ｂｕｓ）によって、第一導線（ｂｕｓ）接続器１２に接続され、またその第一導線（ｂｕｓ）接続器１２は、システムメモリー１４に接続、並びに、ディスプレイインターフェイス１５０を経由してディスプレイ１５に接続される。
【００１５】
第二導線（ｂｕｓ）接続器１３は、基本出入力システムメモリー１６に接続、基本出入力システムメモリー１６内には、起動時に必要な基本出入力システムプログラム（ＢＩＯＳ ｐｒｏｇｒａｍ）１６１及びシステムセルフテストプログラム（ｐｏｗｅｒ ｏｎ ｓｅｌｆ ｔｅｓｔ，ｐｏｓｔ ｐｒｏｇｒａｍ）１６２のコンピュータが記憶されている。
【００１６】
第二導線（ｂｕｓ）接続器１３は、導線（ｂｕｓ）を通って、ハードディスクインターフェイス１７０に接続、更にハードディスクインターフェイス１７０はハードディスク１７に接続する。ハードディスク１７は、本発明中のデータ保存媒体である。ハードディスク１７内には、オペレーションシステム１７１（例えば、現在普遍的に使用されているｗｉｎｄｏｗｓ ＯＳ）をインストール、ハードディスク１７には、他に装置駆動プログラム１７２及びマルチメディアアプリケーションプログラム１７３を少なくとも一つ記憶させる。実際に応用する場合は、前記装置駆動プログラム１７２ｃ及びマルチメディアアプリケーションプログラム１７３ｃは、音楽ＣＤ、デジタル音楽装置、映像音声ＣＤ、テレビ信号受信等、各装置の駆動プログラム及びそのアプリケーションプログラムを含む。
【００１７】
コンピュータ１００の第二導線（ｂｕｓ）接続器１３は、導線（ｂｕｓ）１３０を経由、更にマルチメディア映像音声インターフェイス１９０を経由して、マルチメディアプレイ装置１９に接続する。マルチメディアプレイ装置１９とは、例えば、音楽ＣＤ、デジタル音楽装置、映像音声ＣＤ、テレビ信号受信等マルチメディアデータの読込み、及びプレイ装置である。
【００１８】
このコンピュータ装置１００の第二バスブリッジ１３は、バス１３０を経由してキーボードコントローラー２に連接する。そのキーボードコントローラー２はキーボードＢＩＯＳ２１(Keyboard BIOS)、キーボード装置２２及びマウス２３に連接する。
【００１９】
キーボード制御器２は、機能選択信号出力部位２４に接続しており、いくつかの機能選択ボタン２４１、２４２、２４３、２４４及び、その他の機能選択操作信号出力部位を含む機能選択信号出力部位２４は、ユーザーが操作するに当たって、各異なる機能選択ボタンの装置起動信号Ｓ１をキーボード制御器２に送る働きを持つ。装置起動信号Ｓ１の出力は、キーボード２２上に予め設けた特定キーを押す時に出力されるキー信号とすることも可能である。
【００２０】
実施例において、機能選択信号出力部位２４は、起動もしくはマルチメディアプレイ装置スイッチの制御キーとして定義される。機能選択信号出力部位２４は、マルチメディア対応のプレイ装置面板もしくはコンピュータに取り付けられるスイッチボタンもしくはリモコンに設けられるスイッチである。
【００２１】
図２、図３には、図１実施例の制御フローチャートを示す。図1に示したシステム機能チャートに対応して、本発明制御の流れに詳しい説明を以下のとおり加える。
コンピュータ１００の電源をオンにした時（ステップ１０１）、コンピュータ１００はまずシステム起動プログラムをスタートさせる（ステップ１０２）。この時、コンピュータ１００は、基本出入力システムメモリー１６中に、基本出入力システムプログラム１６１及びシステムセルフテストプログラム１６２を読込み、コンピュータ１００がシステム起動及びセルフテストプログラムを完了した後、コンピュータ１００はハードディスク１７中のオペレーションシステム１７１を読込んで実行（ステップ１０３）、並びに各装置駆動プログラム１７２を読み込んで実行し、また、コンピュータ１００を正常なコンピュータ操作モードにする。（ステップ１０４）後、ユーザーは一般のコンピュータの操作方式を使って、前記コンピュータを操作する。
【００２２】
コンピュータ１００がオペレーションシステム１７１を読込み実行した後、システムメモリー１４に機能選択アプリケーションプログラムイメージファイル記憶区１４１を作成する（ステップ１０５）。
その後、キーボード制御器２は、機能選択信号出力部位２４の状態を監視し、ユーザーが機能選択信号出力部位２４を押したのを監視する（ステップ１０６）と、機能選択信号出力部位２４が出力した装置起動信号Ｓ１を受けたキーボード制御器２が検出した後、導線（ｂｕｓ）を経てＣＰＵ１１に送られる（ステップ１０７）。
ＣＰＵ１１は装置起動信号Ｓ１を受信した後、ハードディスク１７を経由して装置起動信号Ｓ１に対応するマルチメディアアプリケーションプログラム１７３をシステムメモリー１４内の機能選択アプリケーションプログラムイメージファイル記憶区１４１に読込み（ステップ１０８）、並びにマルチメディアアプリケーションプログラム１７３を実行（ステップ１０９）、この時、マルチメディアプレイ装置１９が作動させる。
【００２３】
図３に示すとおり、ユーザーが機能選択信号出力部位２４を押し操作し、マルチメディアプレイ装置のプレイ機能をオフにする場合（ステップ１０）、キーボード制御器２によって監視されて装置オフ信号Ｓ２が発生、導線（ｂｕｓ）を経由してＣＰＵ１１に伝えられる（ステップ１１１）。ＣＰＵ１１は、機能選択信号出力部位２４の操作状態を検出した後、すぐにマルチメディアアプリケーションプログラム１７３の実行を停止（ステップ１１２）、続いてマルチメディアアプリケーションプログラム１７３をアプリケーションプログラムイメージファイル（ａｐｐｌｉｃａｔｉｏｎ ｐｒｏｇｒａｍ ｉｍａｇｅ ｆｉｌｅ）１８の形態によってハードディスク１７の選定メモリー領域に記憶する（ステップ１１３）。
前述する方法により、ハードディスク１７内に、実行済みの異なる機能選択アプリケーションプログラムに基づいた、いくつかのアプリケーションプログラムイメージファイルＡＰ１、ＡＰ２、ＡＰ３、ＡＰ４及びアプリケーションプログラムイメージファイル索引ファイル１８１が作成される（ステップ１１４）。
【００２４】
図４に示すとおり、例えば、アプリケーションプログラムイメージファイルＡＰ１、ＡＰ２、ＡＰ３、ＡＰ４は、それぞれ異なる機能選択ボタン２４１、２４２、２４３、２４４に対応するマルチメディア機能選択を表す。各アプリケーションプログラムイメージファイルＡＰ１、ＡＰ２、ＡＰ３、ＡＰ４は、それぞれのイメージファイル位置Ａ００１、Ａ００２、Ａ００３、Ａ００４を持ち、並びに、アプリケーションプログラムイメージファイル索引ファイル１８１により、アプリケーションプログラムイメージファイルＡＰ１、ＡＰ２、ＡＰ３、ＡＰ４の起動位置及びその長さを記録する。
【００２５】
また、アプリケーションプログラムイメージファイルＡＰ１、ＡＰ２、ＡＰ３、ＡＰ４内に、それぞれのアプリケーションプログラムの別個の設定数値関連ファイルＡＰ１１、ＡＰ２１、ＡＰ３１、ＡＰ４１を付随することも可能で、ユーザーが各アプリケーションプログラムを実行する際、アプリケーションプログラムに数値設定機能（例えば、音量、音質、チャンネル設定等）がある場合は、その設定数値を設定数値関連ファイルＡＰ１１、ＡＰ２１、ＡＰ３１、ＡＰ４１に保存することができる。
【００２６】
一旦、ハードディスク１７内に実行済みのアプリケーションプログラムイメージファイルＡＰ１、ＡＰ２、ＡＰ３、ＡＰ４及びアプリケーションプログラムイメージファイル索引ファイル１８１が作成されると、コンピュータがユーザーによるいかなる機能選択ボタン２４１、２４２、２４３、２４４実行操作を検出した場合（ステップ１１５）、ＣＰＵ１１は、アプリケーションプログラムイメージファイル索引ファイル１８１のデータを直接読込み（ステップ１１６）、並びに、押し操作された機能選択ボタン２４１、２４２、２４３、２４４に対応するアプリケーションプログラムイメージファイルＡＰ１、ＡＰ２、ＡＰ３、ＡＰ４と共に、それに対応する設定数値関連ファイルＡＰ１１、ＡＰ２１、ＡＰ３１、ＡＰ４１をシステムメモリー１４中の機能選択アプリケーションプログラムイメージファイル記憶区１４１に読込み（ステップ１１７）、また予め設定したイメージファイルを元に戻すプログラムを経由し、直接その機能を実行する。このようにして、対応するマルチメディアプレイ装置１９をスタートさせる（ステップ１１８）。
【図面の簡単な説明】
【００２７】
【図１】本発明人工知能型記憶コンピュータ機能選択快速スタート方法実施例のシステム機能チャートを示す図である。
【図２】図１の実施例の制御フローチャートを示す図である。
【図３】図１の実施例の制御フローチャートを示す図である。
【図４】本発明ハードディスクに作成したアプリケーションプログラムイメージファイル及びアプリケーションプログラムイメージファイル索引ファイルの見取り図である。
【符号の説明】
【００２８】
１００ コンピュータ
１１ ＣＰＵ
１２ 第一導線（ｂｕｓ）接続器
１３ 第二導線（ｂｕｓ）接続器
１４ システムメモリー
１４１ 機能選択アプリケーションプログラムイメージファイル記憶区
１５ ディスプレイ
１５０ ディスプレイインターフェイス
１６ 基本出入力システムメモリー
１６１ 基本出入力システムプログラム（ＢＩＯＳ ｐｒｏｇｒａｍ）
１６２ システムセルフテストプログラム（ｐｏｗｅｒ ｏｎ ｓｅｌｆ ｔｅｓｔ，ｐｏｓｔ ｐｒｏｇｒａｍ）
１７０ ハードディスクインターフェイス
１７ ハードディスク
１７１ オペレーションシステム
１７２ 装置駆動プログラム
１７３ マルチメディアアプリケーションプログラム
１８ アプリケーションプログラムイメージファイル（ａｐｐｌｉｃａｔｉｏｎ ｐｒｏｇｒａｍ ｉｍａｇｅ ｆｉｌｅ）
１８１ アプリケーションプログラムイメージファイル索引ファイル
１９ マルチメディアプレイ装置
１９０ マルチメディア映像音声インターフェイス
２ キーボード制御器
２４ 機能選択信号出力部位
２４１、２４２、２４３、２４４ 機能選択ボタン
Ｓ１ 装置起動信号
Ｓ２ 装置オフ信号
２１ キーボード基本出入力システム
２２ キーボード
２３ マウス
【図１】
0004460527.tif 000002
【図２】
0004460527.tif 000003
【図３】
0004460527.tif 000004
【図４】
0004460527.tif 000005